(57)【特許請求の範囲】
【請求項１】
被情報呈示者の周囲の環境情報を入力する環境情報入力手段と、
情報呈示のタイミングを決定するための解析規則を記憶する解析規則記憶手段と、
前記環境情報手段から入力された環境情報を解析するとともに前記解析規則記憶手段に記憶されている解析規則とのマッチングを行う第１の解析手段と、
前記第１の解析手段において解析規則とのマッチングが成立した場合に、前記環境情報の内容に応じた第１の呈示情報を選択する第１の選択手段と、
前記被情報呈示者を除く他の対象物からの外部情報を入力する外部情報入力手段と、
前記外部情報入力手段から入力された外部情報を解析をするとともに前記解析規則記憶手段に記憶されている解析規則とのマッチングを行う第２の解析手段と、
前記第２の解析手段において解析規則とのマッチングが成立した場合に、前記外部情報の内容に応じた第２の呈示情報を選択する第２の選択手段と、
前記第１の選択手段により選択された第１の呈示情報と、前記第２の選択手段により選択された第２の呈示情報とを判別し、判別結果に応じた呈示方法を選択する呈示方法選択手段と、
を具備することを特徴とする環境駆動型情報呈示装置。
【請求項２】
前記選択手段により選択された呈示情報を前記タイミングに従って前記被情報呈示者に対し呈示する呈示手段を具備することを特徴とする請求項１記載の環境駆動型情報呈示装置。
【請求項３】
前記解析規則又は前記第１若しくは第２の選択手段が選択する呈示情報の内容又は前記呈示手段による情報呈示の方法を編集する編集手段をさらに具備することを特徴とする請求項２に記載の環境駆動型情報呈示装置。
【請求項４】
情報呈示者から送信された解析規則又は呈示情報の少なくとも一方を受信する解析規則受信手段と、
前記解析規則受信手段によって受信された解析規則を、前記解析規則記憶手段により記憶された解析規則に追加し、又は当該解析規則を編集する解析規則編集手段と、
をさらに具備することを特徴とする請求項１乃至３のいずれかに記載の環境駆動型情報呈示装置。
【請求項５】
前記第１の選択手段による呈示情報の選択結果を情報呈示者に送信する選択結果送信手段をさらに具備することを特徴とする請求項１乃至４のいずれかに記載の環境駆動型情報呈示装置。
【請求項６】
前記選択結果送信手段の送信結果に応じて前記情報呈示者から配信された特典情報を受信する手段をさらに具備することを特徴とする請求項５に記載の環境駆動型情報呈示装置。
【請求項７】
被情報呈示者の周囲の環境情報を入力する環境情報入力手段と、
前記被情報呈示者を除く他の対象物からの外部情報を入力する外部情報入力手段と、
情報呈示のタイミングを決定するための解析規則を記憶する解析規則記憶手段と、
前記環境情報手段から入力された環境情報と前記解析規則記憶手段に記憶されている解析規則との第１のマッチングおよび前記外部情報入力手段から入力された外部情報と前記解析規則記憶手段に記憶されている解析規則との第２のマッチングを行う解析手段と、
前記第１のマッチングが成立した場合に、前記環境情報の内容に応じた第１の呈示情報を選択し、前記第２のマッチングが成立した場合に、前記外部情報の内容に応じた第２の呈示情報を選択する選択手段と、
前記第１の選択手段により選択された第１の呈示情報と、前記第２の選択手段により選択された第２の呈示情報とを判別し、判別結果に応じた呈示方法を選択する呈示方法選択手段と、
を具備することを特徴とする環境駆動型情報呈示装置。
【発明の詳細な説明】
【０００１】
【発明の属する技術分野】
本発明は、消費者のニーズに合った情報を、消費者にとって最適なタイミングで提供する環境駆動型情報呈示装置に関する。
【０００２】
【従来の技術】
従来の宣伝における情報提供は大きく次の３種類に分類することができる。
（１）据え置き型（街頭の立看板など、個人を特定しない情報公開）
（２）個人集中型（郵便、電子メールなどを用いたダイレクトメールや勧誘電話など、個人を特定した情報送信）
（３）放送型（テレビ、ラジオなど、個人を特定しない情報送信）
据え置き型の宣伝では、単に看板を据え置くだけなので、これを一度設置してしまえば、後のコストは不要である。しかしながら、その宣伝内容が、通りかかる消費者のニーズにあっているかどうかに関わりなく設置されるので、本当に通行人にとって有用であるという保証はない。また、据え置き型の宣伝のための看板等は、交通や美観を妨げるという問題も発生していた。
【０００３】
個人集中型の宣伝は、何らかの方法で取得した消費者の宛先にダイレクトメールや勧誘電話などを送付する宣伝である。例えば、小学校に入学する子供の居る家庭に向けて、机や鞄など消費者にニーズのありそうな品物の宣伝を送付するような場合が相当する。しかしながら、机や鞄などの商品を消費者が既に購買済みの場合には、一方的に送りつれられるダイレクトメールや勧誘電話は、大部分の消費者にとっては不要であり、迷惑を感じる場合すらある。さらに、不要なダイレクトメールは紙資源の浪費であるとも言えるので省資源の観点からも問題である。
【０００４】
テレビやラジオ、新聞、週刊誌などの公共のメディアを利用する放送型の宣伝は、特定の個人に対する情報発信ではないので個人集中型のような問題を引き起こすことはない。しかしながら、ニーズを持ちそうな消費者に対し、発信された情報が確実に行き届いているかを判定するのは困難であるという反面がある。例えば子供向け番組は、当然ながら大部分の視聴者は子供達であるので、子供達の注意を引きそうな玩具などの宣伝を集中させるといった、ある程度の工夫はなされている。しかしながら、個人集中型の宣伝と比較すると、真に消費者のニーズに対して有効な商品の宣伝ができているとは限らず、消費者の注意を引くようなＣＭ作りに多大な経費が費やされているというのが実状である。また、ＣＭのために放映中の番組が一次的に中断されることに消費者が不具合を感じるという問題もある。
【０００５】
ところで、インターネットのＷｅｂのホームページなどに見られるバナー広告と呼ばれる宣伝方法が知られている。これは、ホームページの片隅に明滅して表示され、興味をもった消費者がマウスなどでクリックすると、リンク先の広告本体が表示されるというものである。このバナー広告については、現在のインターネットにおいて使用されている通信回線の容量が小さいため、リンク先の広告本体のデータ取得に時間がかかるという欠点がある。あるいは、単に明滅表示をするだけの単純なバナー広告の表示には、消費者も慣れてくると注意を向けなってしまう。
【０００６】
ところで、最近では、Ｗｅｂのブラウザを利用した消費者の購買情報を蓄積し、これに基づき消費者のニーズを分析し、それにあった宣伝を電子メールなどで送るような新しい宣伝方法の試みもなされるようになってきた。しかしながら、消費者のニーズを正確に把握するためには、かなりの量の、消費者の個人情報（プロファイル）を、消費者自らに入力してもらう必要があった。これでは消費者に負担をかけてしまう。また、単に、その消費者に対し従来の購買情報の傾向に合った製品の宣伝を行うだけでは、消費者の動的なニーズの変化に追随できず惰性化しやすいという問題があった。また、消費者に情報を呈示する手段はどれも似通った構成であり、宣伝効果の相違はそれほど無い。
【０００７】
また、情報フィルタリングのプッシュサービスと結びつけて、消費者が取得したいＷｅｂのホームページとして選択したカテゴリに基づき、消費者の好みに合った宣伝を選択して消費者に呈示する試みもなされてきている。しかしながら、この場合においても、消費者に情報を呈示する手段はダイレクトメールなどが殆どであった。ダイレクトメールのような宣伝媒体は、消費者が必要なしと判断してこれを開封せずに捨てたり、電子メールのフォルダから削除してしまえば、消費者に呈示される機会は完全に失われてしまう。
【０００８】
また、Ｗｅｂブラウザの一部にバナー広告的な情報呈示を行う場合についても、呈示情報を確認することなく消費者が自分には不要な情報呈示とみなし、すなわちクリックしてもらえないという場合が往々にしてある。
【０００９】
以上のような従来から知られているの種々の宣伝における問題点は、消費者のニーズに本当に適合しているかどうか、あるいは、消費者がそのような情報の取得に適した状態にあるかどうか、ということとは無関係に一方的に宣伝内容が配信されることに原因があると考えられる。
【００１０】
【発明が解決しようとする課題】
本発明はかかる事情を考慮してなされたものであり、被情報呈示者にとっては不要な情報から所望の情報を取拾選択するための手間が省かれ、一方、情報呈示者にとっては被情報呈示者に対しタイムリーで飽きの来ない効果的な情報呈示を行える環境駆動型情報呈示装置を提供することを目的とする。
【００１１】
【課題を解決するための手段】
上記課題を解決し目的を達成するために本発明は、次のように構成されている。
すなわち、本発明の環境駆動型情報呈示装置は、被情報呈示者（消費者等の利用者）の周囲の環境情報を入力する環境情報入力手段（ビデオカメラやマイクロフォンなどのメディアから成る）と、情報呈示のタイミングを決定するための解析規則を記憶する解析規則記憶手段と、前記環境情報手段から入力された環境情報を解析するとともに前記解析規則記憶手段に記憶されている解析規則とのマッチングを行う解析手段と、前記解析手段において解析規則とのマッチングが成立した場合に、前記環境情報の内容に応じた所定の呈示情報を選択する選択手段と、前記選択手段により選択された呈示情報を前記タイミングに従って前記被情報呈示者に対し呈示する呈示手段と、を具備する。
【００１２】
【発明の実施の形態】
以下、図面を参照しながら本発明の実施形態を説明する。
［第１実施形態］
図１は、本発明の第１の実施形態に係る環境駆動型情報呈示装置の概略構成を示すブロック図である。この装置は、ユーザの周囲の環境を表す情報を取得する環境情報入力部１０と、解析規則を記憶する解析規則記憶部１１と、環境情報入力部１０から入力された環境情報を解析し、解析規則部１１に記憶されている解析規則とのマッチングを行うことにより、情報呈示のタイミングを判定する解析部１２と、解析部１２の解析結果に基づいて、ユーザに対して呈示する情報を選択する選択部１３と、選択部１３が選択した情報を呈示する呈示部１４とによって構成されている。
【００１３】
環境情報入力部１０は、例えばビデオカメラやマイクロフォンなどのメディアから成り、ユーザの周囲の環境を表す情報を取得する。これにより、ユーザが現在、どのような状況にあるのか（例えば夕食の準備をしていて忙しいのか、それとも家事が一段落して比較的暇な状態であるのかなど）を判断できる。
【００１４】
解析規則記憶部１１に記憶される解析規則は、例えば、図１に示すように「ｃａａａ」というような記号の羅列である。この解析規則は、環境情報入力部１０に入力された複数メディアの情報を、ある単位にまとめたオブジェクトの系列であり、このオブジェクト系列は、ユーザに対して情報呈示を行うタイミングを決定するために用いられる。
【００１５】
オブジェクト系列について説明を行う前に、環境情報入力部１０より入力された複数メディア情報をオブジェクト化する方法について詳細に説明する。
図２は、例えば、環境情報として音声及び映像のストリームデータが入力されたことを想定し、これらが入力されている様子を時間に沿って示したものである。音は、音がある部分とない部分でまず区切られる。図２においては、音のある部分（ここでは、ある一定の音量を超えている部分）は、実線の矩形によって示されており、音のない部分は点線の矩形によって示されている。一方、映像は、動きを表す部分（ここでは、ＭＰＥＧ２などで圧縮するときに使う動きベクトルをもとに「動き」の有無を判断することとする）は、実線の矩形によって示され、動きのない部分は点線の矩形によって示されている。
【００１６】
その結果、図２に示すように音と映像では、実線の矩形の部分と点線の矩形の部分が時間的にずれている。このままでは、音と映像を一括して扱うことが難しいので、ここでは、両者を統合化してひとまとまりで扱えるようにオブジェクト化を行う。ひとまとまりで扱えるように設定したオブジェクトをここでは、関連オブジェクトと称する。
【００１７】
まず、音と映像の両方をひとまとまりにするために、例えば、次のような簡単なルールを定義する。
・ルール１：音のある部分とない部分との境界で区切る
・ルール２：映像の動きのある部分とない部分との境界で区切る
・ルール３：音のある部分、映像中の動きを表す部分では区切らない
・ルール４：音のない部分、映像中の動きを表す部分では区切る
このルールに則ってオブジェクト化を進めると、まず、最初に音のない部分に続いて、音のある部分（ｓ１）が始まる。ここで、ルール１に合致するので、この境界で環境情報を区切ってオブジェクト化を行うとすると、映像の動きを表す部分（ｍ１）を区切ることになるので、ルール３に合致する。したがってここでは区切らない。続いて、（ｓ１）の終わりで区切ろうとしても、同様にルール３に合致しないため区切らない。
【００１８】
次に、ルール２に合致するので（ｍ１）の終わりで環境情報を区切ろうとするが、このときは音のない部分なのでルール４に合致するため区切ることができる。ここで、ようやく一番目の関連オブジェクト（ｏｂｊ１）ができあがる。
【００１９】
以下同様にして、最終的に、図２に示すような関連オブジェクが得られる。
なお、このオブジェクト化に関しては、ここで述べた以外の方法（例えば、参考文献「特願平９−２２１６４２号公報に記載の「情報記憶装置及び情報記憶検索装置及び情報記憶方法」」）を用いることも可能である。
【００２０】
次に、ここで作られた関連オブジェクトｏｂｊ１，ｏｂｊ６，，からなる系列を、どのようにして、図１の解析部１２に示すような系列データ（，，，ａ，ａ，ｃ，ａ，ａ，ａ，ｃ，ａ，ａ，ａ）に変換するかについて説明する。
【００２１】
先ず、関連オブジェクト生成の際に、オブジェクトに音が含まれているか否か、映像の動きのある部分が含まれているか否かで、例えば、以下のような形式で、それぞれに属性を付加していく。
【００２２】
まず、ｏｂｊ１には、音があり、映像の動きの部分も含まれているので、この属性は、例えばベーシック言語の記述に則って、
Ｏｂｊｅｃｔｓ（１）．ＩｓＳｏｕｎｄＭｏｔｉｏｎ
のように示され、この属性に真を表す値１を代入する。「Ｏｂｊｅｃｔｓ（１）」はＯｂｊｅｃｔｓが関連オブジェクトであることを示し、「（１）」はその１番目のオブジェクトであることを示す。ＩｓＳｏｕｎｄＭｏｔｉｏｎは、音と動き（ｍｏｔｉｏｎ）があることを示す属性を表す。「．」は右辺の属性が左辺のオブジェクトに付加されていることを表す。
【００２３】
Ｏｂｊ５も同様に、
Ｏｂｊｅｃｔｓ（５）．ＩｓＳｏｕｎｄＭｏｔｉｏｎ
の値は１となる。
【００２４】
同様にＯｂｊ２とＯｂｊ４は、音もなく、映像の動きもないので、
Ｏｂｊｅｃｔｓ（２）．Ｎｏ
Ｏｂｊｅｃｔｓ（４）．Ｎｏ
と表される。Ｎｏは音も映像の動きもない属性を示し、値１を代入する。
【００２５】
同様にＯｂｊ３は、音のみなので、
Ｏｂｊｅｃｔｓ（３）．ＩｓＳｏｕｎｄ
となり、値１を代入する。もし、ｎ番目のオブジェクトが映像の動きの部分であれば、
Ｏｂｊｅｃｔｓ（ｎ）．ＩｓＭｏｔｉｏｎ
の値は１となる。
【００２６】
以上のように、属性付けがされたオブジェクトに対し、その属性に注目して、「ａ」や「ｃ」を対応付けていく。例えば、この例では、Ｎｏの属性をもつオブジェクトに「ａ」を対応つけ、ＩｓＳｏｕｎｄＭｏｔｉｏｎの属性をもつオブジェクトに「ｃ」を対応付ける。このように対応つけられたオブジェクトを順番に並べると、例えば、
（，，，ａ，ａ，ｃ，ａ，ａ，ａ，ｃ，ａ，ａ，）
といった系列（オブジェクト系列）が得られる。
【００２７】
あるいは、個人認証や画像認識などの処理を行い、さらに詳細な属性付けを行ったオブジェクトをｃやａに対応させる方法も可能である。その場合、たとえば、音声を解析して、話者認識から、Ｏｂｊ１での音声は、Ａさんであると認証されたとすると、
Ｏｂｊｅｃｔｓ（１）．ＩｓＰｅｒｓｏｎＡ
といったように、Ａさんと認証されたことを示す属性ＩｓＰｅｒｓｏｎＡがオブジェクトに付加され、これに値１の真値が代入される。
【００２８】
次に、この系列をもとに、解析部１２が解析規則記憶部１１に記憶された解析規則とどのようにしてマッチングを行うかについて説明する。
解析規則記憶部１１に記憶されている「ｃａａａ」や「ａｃ＊ａ」は、上述のように生成される「ａ」や「ｃ」の属性がいくつ並ぶかを示している。「ｃ＊」は少なくとも１個以上の「ｃ」が並んでいてもよいことを示す。
【００２９】
解析部１２によるマッチングは、ここでは、環境情報入力部１０から入力された環境上を表すオブジェクト系列に対して、解析規則記憶部１１に記憶されている解析規則との単純なパターンマッチングとする。
【００３０】
環境情報入力部１０から入力されたオブジェクト系列（，，，ａ，ａ，＜ｃ，ａ，ａ，ａ＞，ｃ，ａ，ａ）のうち、カギ括弧で括った部分は解析規則記憶部１１に記憶された「ｃａａａ」と一致する。「ａａａ」のオブジェクトの並びは、音声及び動きのある映像が存在する状態に続いて、音も映像の動きもない状態が３回連続したことを示し、ここでは、この並びの入力があるとユーザは暇であると判断することにする。
【００３１】
選択部１３には、「ｃａａａ」という規則と、ユーザが暇である場合にユーザに呈示する情報とが、例えば、
（ｃａａａ，“○×デパートに出かけてはどうですか？”）
のように組になって記憶されており、解析部１２において「ｃａａａ」という規則がマッチすると、選択部１３はこの規則に対応した（状態、呈示情報）の情報の組を選択する。これを組み合わせ情報と称する。
【００３２】
選択部１３によって選択された組み合わせ情報のうち、呈示情報は呈示部１４のスピーカより「○×デパートに出かけてはどうですか？」という音声で再生され、ユーザに呈示される。
【００３３】
なお、呈示部１４は所定のタイミングで呈示情報を呈示するが、ここで言うタイミングとは以下のものが考えられる。
・時間遅延（タイムディレイ）：解析部１２において解析規則とのマッチングが成立した直後、あるいは５秒の時間遅延の後に呈示する。
・周期性：周期的な情報呈示では、１分ごとに呈示情報を切り替えるか、あるいは５分ごとに切り替えて、呈示する。
【００３４】
ここでは、例えば時間遅延をタイミングとして設定される。
図３は、以上説明した本実施形態の概略動作をフローチャートによって示したものである。すなわち、先ず環境情報を取得し（ステップ３０１）、ここで取得された情報を解析部１２においてオブジェクト化し（ステップ３０２）。そして、この情報が表す規則と解析規則記憶部１１に記憶されている規則とがマッチするか否かを判定し（ステップ３０３）、選択部１３において、マッチした記憶に合致する情報を選択してこれを呈示する（ステップ３０４）。
【００３５】
［第１実施形態の効果］
以上説明した第１実施形態の環境駆動型情報呈示装置によれば、メディアから入力された環境情報に基づきユーザの状況に合った情報が適切なタイミングで呈示される。このため効果的な情報呈示を実現できる。したがって、従来のダイレクトメールのように不要な紙屑を増やしたり、ユーザの作業を邪魔するといった、供給元からの一方的な情報呈示による不具合を改善できる。
【００３６】
［第１実施形態の変形例］
第１の実施形態では、環境情報として音と映像を例にとったが必ずしもこれに限定されるものではなく、他のメディアからの情報を用いることも可能である。あるいは、同一のメディアを用いる場合であっても、設置場所などを変え、これを複数用いることも可能である。例えば、映像もカメラを複数台設置し、これらのデータを統合してオブジェクト化を行い、解析に供することも可能である。
【００３７】
また、オブジェクトに属性を付加する方法も、ここで説明した方法や記述方式に限定されるものではない。
また、本実施形態では、選択部１３には、規則とそれに対応して呈示するべき情報の組み合わせ（組み合わせ情報）が記憶されているが、その内容は特定のものに限定されるない。例えば、解析規則記憶部１１には、ユーザが暇である状態を表す解析規則しか記憶されないとすると、選択部１３は例えば「散歩に出かけてはどうですか？」という情報を常に選択しても良い。
【００３８】
さらに、ある解析規則とのマッチングが成立したら速やかに情報を呈示すべきか、あるいはある一定時間のディレイののちに呈示すべきか、あるいは、ユーザから呈示情報に対する反応があるまで、どのような時間周期で情報を呈示すべきかといった時間的な選択に関しても、組み合わせ情報に含めて記憶させても良い。
【００３９】
例えば、
（ｃａａａ，“○×デパートに出かけてはどうですか？”，ｔ＝０）
という具合に、「ｃａａａ」というパターンにマッチしたらｔ秒後（この場合、０秒後）に情報を呈示させる。
【００４０】
あるいは、
（ｃａａａ，“○×デパートに出かけてはどうですか？”，ｒｐ＝３＆ｕｒ＝Ｎｏ）
といったように、「ｃａａａ」というパターンにマッチしたら、ユーザからの反応（ｕｒ：ｕｓｅｒ  ｒｅａｃｔｉｏｎ）を表す例えば「ａａｃａａ」などのパターンが入力されるまで、ｒｐ分（この場合、３分）間隔で情報を呈示させる。
【００４１】
図４はこのような繰り返し呈示に係る動作を示すフローチャートである。
環境情報の入力に先立ち、まず、繰り返し情報の有無を記憶するためのパラメータＲ，周期ｔ０、呈示時刻のカウンタｔ、繰り返し呈示する情報を格納するメモリＭのクリアを行う（ステップ４０１）。
【００４２】
その後、環境情報を取得し（ステップ４０２）、第１の実施形態において説明したようにオブジェクト化を行う（ステップ４０３）。次に、解析規則記憶部１１に記憶されている規則とのマッチングを行う（ステップ４０６）。マッチが成立した場合、繰り返し呈示の指定があるかどうかを調べる（ステップ４０７）。指定がなされている場合は、繰り返しフラグＲを１に、その情報をＭに、繰り返し周期をｔ０に格納し、カウントアップを開始する（ステップ４０８）。
【００４３】
そして、ｔ０になった時点（ステップ４０９）において、情報を呈示する（ステップ４１０）。この繰り返し呈示は、ユーザからリアクションがあるまで、バックグランド処理によって行われる（図４においては、フローが煩雑になるので省略してある）。このため、ステップ４０４において、ユーザのリアクション（Ｙｅｓ、あるいはＮｏ）であるかどうかを調べる。リアクションであり、且つ、「ｕｒ」に記されたパターンとのマッチングが成立する場合は、ステップ４０５において繰り返し呈示する情報のフラグＲやメモリＭやｔ０、ｔのクリアを行う。
【００４４】
一方、繰り返し呈示でない場合（ステップ４０７＝ＮＯ）は、呈示時刻の指定がなされているかどうかを調べる（ステップ４１１）。指定がなされている場合は、その値をｔ０に格納し（ステップ４１２）、指定時刻なった時点（ステップ４０９）で情報を呈示する（ステップ４１０）。この設定時刻のクリアはステップ４１３と４１４において行う。
【００４５】
なお、
（ｃａａａ，“○×デパートに出かけてはどうですか？”，ｄａｔｅ＝“１２／２５”）
といったように、「ｃａａａ」というパターンにマッチしたら、情報呈示を行う時間指定の条件を表す「ｄａｔｅ」の値を参照し、このマッチングが行なわれた日が１２月２５日のクリスマスである場合にのみ情報を呈示する、といったタイムリーな情報呈示を行うことも可能である。
【００４６】
あるいは、組み合わせ情報の他の例としては、一つの規則に対して異なる多種の呈示情報を例えば、
（ｃａａａ，“○×デパートに出かけてはどうですか？”：“明日、新車の発表会があります”．．．．）のように記憶させておき、ランダム変数などによりランダムに呈示することで、呈示情報の陳腐化を防ぐようにしても良い。
【００４７】
［第２実施形態］
上述した第１の実施形態の環境駆動型情報呈示装置は、ユーザを含む環境情報を取得し、それを解析し、ユーザに適したタイミングで情報呈示を行うものであった。かかる実施形態によれば、ユーザの行動があまり変化しない場合は、環境情報入力部１０から取得される情報もあまり変化せず、同じ情報が呈示される場合が多くなり、早い時点で陳腐化してしまう可能性がある。あるいは、せっかく情報が呈示されても“○×デパートに出かけてはどうですか？”といった一般的な情報ばかりでは、情報の新鮮さに欠け、ユーザの注意をひく情報呈示ができない可能性がある。
【００４８】
本発明の第２実施形態はこのような問題を解決するものであり、呈示情報の陳腐化の抑制を図り、ユーザに対し新鮮な情報を呈示するように構成されている。
図５は本実施形態に係る環境駆動型情報呈示装置の概略構成を示すブロック図である。本装置は、第１実施形態に係る図１の概略構成に対し、解析規則送信部２０、解析規則受信部２１、解析規則追加部２２が追加されて成る。なお、第１実施形態と同一の部分には同一の参照符号が付してある。
【００４９】
第２の実施形態の装置は、解析規則受信部２１によって、解析規則送信部２０から送信された情報呈示のタイミングを示す情報及び呈示情報を受信することが可能となっている。なお、解析規則送信部２０は、呈示情報の供給元（広告主等）側のシステムに含まれる。
【００５０】
また、本実施形態の装置は、解析規則追加部２２を備えている。この解析規則追加部２２は、解析規則受信部２１から受信した解析規則を解析規則記憶部１１に対し追加するための手段である。
【００５１】
解析規則送信部２０は例えば、
（ａａａｅｅ“お疲れの様ですね。これを食べて栄養を取ってはいかがですか？”）
という解析規則、及び「これ」に相当する宣伝対象である食品の静止画像等（栄養食品（新発売！））を環境駆動型情報呈示装置に対し送信する。
【００５２】
ここで、解析規則中において「ｅ」というのは、例えば「ため息をつく」といった状態を表す新しいオブジェクトである。つまり、「ａａａｅｅ」は音も、動きのある映像も得られず、ため息をする状態が続いたときに、情報を呈示せよということ意味する。
【００５３】
図６は解析規則送信部２０から送信された情報が解析規則記憶部１１に格納されるまでの動作の流れを示すフローチャートである。
先ずステップ６０１において、解析規則送信部２０からの解析規則の受信を検知した場合はステップ６０２に進む。そして、受信した解析規則と同一の規則が既に解析規則記憶部１１内に存在しているか否かを判定する（ステップ６０２）。ここで、同一の解析規則が存在しなければ、受信した解析規則を解析規則記憶部１１に格納する（ステップ６０４）。一方、同一の解析規則が既に存在する場合には、解析規則の上書きの許可をユーザに対し求める（ステップ６０３）。ここでユーザが許可した場合には、受信した解析規則を解析規則記憶部１１内の解析規則に上書きする。一方、ユーザからの許可が得られなかった場合、例えば、
（ｃａａａ，“○×デパートに出かけてはどうですか？”）
という解析規則に対し、“お疲れの様ですね。これを食べて栄養を取ってはいかがですか？”という呈示情報のみを追加する（ステップ６０５）。
【００５４】
以上のようにして解析規則送信部２０から送信された情報が解析規則記憶部１１に格納された以降のマッチング等の処理は、第１の実施形態（ステップ３０３〜）と同様であるので説明を省略する。
【００５５】
［第２実施形態の効果］
以上説明した本実施形態によれば、解析規則送信部２０及び解析規則受信部２１から成る通信手段を通じて、「ユーザのどのような状態にマッチさせるか」、「マッチしたらどのような情報を呈示するか」を表す解析規則が呈示情報の供給元（広告主等）から継続的に送られてくるので、ユーザに呈示する情報、及びかかる情報を呈示するタイミングを多様化させることができる。したがって、呈示情報の新鮮さを保つことができ、これが陳腐化する恐れがない。
【００５６】
［第２実施形態の変形例］
まず、第１及び第２の実施形態のいずれにおいても、情報呈示がどのような手段により行われるかを特定していない。例えば情報呈示を行う場所は、ＰＣなどのコンピュータ画面上に限定されない。たとえば、外部と電話回線等を介してインターネット等による通信手段を備えたテレビジョン装置の画面上に表示させることも可能である。
【００５７】
あるいは、情報呈示を画面上において行う代わりに、家事ロボットや、ぬいぐるみなどにおいて、これらの音声によって呈示させても良い。また、家事ロボットがユーザの肩に触れて注意を促す、といったことよっても特定の情報呈示は可能である。
【００５８】
次に、解析規則受信部２１が受信する解析規則を、呈示情報の他に、タイミングなどのパラメータを含めるように変形することも可能である。また、第２実施形態では、解析規則の編集について、通信手段を用いて新たな解析規則の追加を行うことについて説明した。しかし、この編集は追加だけに限らず、例えば、
（ａａａｅｅ，“お疲れの様ですね。これを食べて栄養を取ってはいかがですか？”，ｄｅｌｅｔｅ）
といったように、解析規則を削除するパラメータが付加された解析規則を受信して、
（ａａａｅｅ，“お疲れの様ですね。これを食べて栄養を取ってはいかがですか？”）
という解析規則が既に記憶されている場合には、これを削除しても良い。
【００５９】
解析規則の編集は、このような追加及び削除に限らず、解析規則を変化させるものであれば何でも良い。
次に、第２の実施形態は受信手段のみを備えるものであったが、さらに送信手段を付加し、例えば商品の宣伝に関する情報呈示を受けたユーザが、送信手段を介して該当商品の発注指示を出せるようなシステム構成とすることも可能である。この場合、システムはユーザからの発注指示を認識し、該当商品の発注に関する通信処理を行う。
【００６０】
次に、第２の実施形態では、広告主から送られてくる情報を通信手段を介して受信するものとして説明を行ったが、通信手段の代わりに、例えばＤＶＤなどの記録媒体を介して取得しても良い。例えば、映画などのＤＶＤを装着すると、そのＤＶＤの中に含まれる広告情報やその呈示のタイミング情報等を検知し、解析規則追加部２２はこの情報を所定の解析規則に追加する。
【００６１】
解析規則に情報を追加するタイミングは何時でも良い。例えば、ユーザが装置に装填したＤＶＤの映画を見ている最中でも良い。また、このような記録媒介はＤＶＤに限らず、例えばＣＤ−ＲＯＭやＩＣカードなど、外部から装置に情報を入力できる媒体であれば如何なるものでも良い。これにより、通信手を介して解析規則を編集する場合と同等の効果を得る事ができる。
【００６２】
次に、第２の実施形態において、選択部１３は複数の呈示情報のうちから、少なくともひとつを選択し、これを呈示部１４が呈示するものとして説明したが、過去にユーザに呈示した情報を記録しておき、例えば、過去に呈示した情報とは異なる情報を選択させるように構成しても良い。例えば、選択部１３に記憶された（状態、呈示情報）の組が、
（ｃａａａ，“高級品の商品Ａが発売されました。機能が充実しています”：“兼価品の商品Ｂが発売されました。最低限必要な機能を備えています。”）
という具合に、ある状態に対応する呈示情報が複数存在する場合であって、且つ過去に商品Ｂについて情報呈示したことにユーザが感心を示したことがある場合には、過去に情報呈示した商品Ｂとは異なった商品Ａの情報呈示を行う。これにより、ユーザの要求を満たす情報を呈示することができる。
【００６３】
［第３実施形態］
上述した第１の実施形態の環境駆動型情報呈示装置は、ユーザの置かれている環境を表す情報を取得しこれを解析することによりユーザに適したタイミングで情報呈示を行うものであり、また第２の実施形態の装置は、ユーザに呈示する情報と、それを呈示するタイミングを指定する情報とを呈示情報の供給元（広告主等）から受信し、呈示情報の内容及びその呈示タイミングを変化させることにより、飽きの来ない情報呈示を可能にするものであった。このような第１の実施形態および第２の実施形態の装置においては、広告主等の情報供給元は装置に組み込んだ広告情報、あるいは発信した広告等の情報がユーザに対し実際に呈示されたかどうかを知ることができない。
【００６４】
第３の実施形態はこのような問題を解決すべく構成されている。すなわち、第３実施形態の環境駆動型情報呈示装置は、呈示情報の供給元（広告主や広告代理店）との通信を行うことにより、装置がユーザに対し情報（宣伝を含む）を呈示すると、その情報が呈示されたこと（情報の呈示結果）を供給元に通知する。
【００６５】
これにより、例えば呈示情報の供給元である広告主は、装置に組み込んだり装置に対し発信した広告情報が、実際にユーザに呈示されたかどうかを知ることができる。また、広告主が指定したタイミングがどの程度有効であったかや、どのユーザに広告呈示が行われたか、などを知ることもできるようになる。
【００６６】
図７は本実施形態に係る環境駆動型情報呈示装置の概略構成を示すブロック図である。本実施形態は、第１実施形態に係る図１の概略構成に対し、呈示結果送信部３０が付加されている。呈示結果受信部３１は呈示情報の供給元側のシステムに含まれる。なお、第１実施形態と同一の部分には同一の参照符号が付してある。
【００６７】
本実施形態においては、選択部１３で選択された情報に対し、例えば、
（ｃａａａ，“○×デパートに出かけてはどうですか？”，１２３−４５−６７８９）
のように、電話番号などの宛先を後尾に付加されている。この宛先は、例えば電話番号に限らず、メールアドレスなど、呈示結果を送信する供給元の宛先として認識できるものであれば如何なるものでも良い。
【００６８】
そして、この情報がユーザに呈示された際には、この情報が呈示されたことが呈示結果送信部３０によって呈示情報の供給元に通知される。
具体的には、選択部１３によって情報が選択されると、呈示結果送信部３０は、その情報に付加された宛先を識別し、その宛先に例えば、
（ｃａａａ，“○×デパートに出かけてはどうですか？”）
といったように、ユーザに呈示した内容を、呈示結果受信部３１に対し送信する。この送信には例えばモデムなどが用いられ、供給元の宛先の電話番号に電話を掛けて接続を確立し、通信を行なう。
【００６９】
呈示結果受信部３１は、呈示結果送信部３０から掛かってきた電話により通信を開始し、呈示結果を受信する。これにより、呈示結果受信部３１では、受信した内容の情報が呈示されたことを知ることができる。
【００７０】
解析規則に基づき選択部１３によって選択された呈示情報を呈示部１４が呈示するまでの動作は、第１の実施形態、第２の実施形態と同様である。そこで図８に、選択部１３によって選択された呈示情報を送信し、供給元である広告主がこの送信情報を受信するまでの処理の流れをフローチャートによって示す。
【００７１】
呈示結果送信部３０は、選択部１３が呈示情報を選択したかどうかを調べる（ステップ８０１）。呈示情報が選択された場合はステップ８０３に進み、選択されなかった場合はステップ８０１に戻る（ステップ８０２）。呈示情報が選択された場合は、選択された呈示情報を送信する宛先を調べる（ステップ８０３）。その宛先に呈示された情報を通信によって送信する（ステップ８０４）。
【００７２】
一方、広告主側は、呈示結果送信部３０から送信された呈示情報を、呈示結果受信部３１を介した通信によって受信する。
［第３実施形態の効果］
本実施形態によれば、呈示情報の供給元である広告主は、呈示しようとした情報が、ユーザに対し実際に呈示されたかどうかを知ることができる。これにより、例えばユーザへの情報呈示回数に応じて情報呈示代理業者に支払うスポンサー料の計算を定量的に行うこともできる。
【００７３】
また、情報呈示がどのように行われたかを定量的に分析して、次に広告を送信する際に、ユーザにとってより効果的な広告を作成することもできる。
［第３実施形態の変形例］
第２の実施形態では、呈示結果として例えば、
（ｃａａａ，“○×デパートに出かけてはどうですか？”）
などの選択部１３によって選択された情報を用いて呈示結果の送受信を行った。しかし、送受信される情報は、情報の呈示が行なわれたことを知ることができるものであれば何でも良い。例えば、情報の内容が含まれていなくても、情報が呈示された場合に呈示結果送信部３０が呈示結果受信部３１と接続を行うだけでも、その宛先に通知された情報の種類が一種類である場合には、情報の呈示が行われたことが分かる。この方法は、情報の種類が複数でも、その複数の情報のうちどれかひとつが呈示されたことを知りたい場合にも有効である。
【００７４】
装置に例えば（Ｎｏ．００３）のように識別子を付加しておいて、この識別子を送受信する情報の内容に含めても良い。そうすると、どの装置によって情報呈示が行われたかを知ることもできる。
【００７５】
第３の実施形態では、情報呈示が行なわれたことを例えば広告主が知ることができるが、この際に、実際に情報呈示が行なわれたユーザに対して、割引などの特典情報を算出して、情報呈示が行なわれたユーザに対して配信しても良い。これにより、ユーザの好みにより沿った情報呈示が可能になり、本装置による情報呈示をユーザが受ける意欲、ひいてはその情報呈示による商品の購買意欲、を促進することができる。
【００７６】
［第４実施形態］
第４実施形態は、ユーザ周囲の環境情報のみならず、ユーザとは独立した対象物（ここでは仮想的な対象物として「人工生命体」を例にとる）からの環境情報にも基づいて情報呈示を行う環境駆動型情報呈示装置に関する。
【００７７】
上述した第１乃至第３の実施形態のいずれにおいても、ユーザにとって適切なタイミングを解析するために、ユーザの周囲の環境を表す情報を取得し、これを用いていた。これらの実施形態では、例えばユーザがいつも決まった同じ行動をすると、環境情報入力部１０が取得する情報もいつも同じパターンになってしまうため、いつも同じタイミングで情報呈示することが多くなってしまう可能性がある。そうすると、どのタイミングで情報呈示が行なわれるかをある程度予見できるようになってしまい、ユーザからの注意を惹くことができなってしまう。
【００７８】
また、ユーザはいつも同じ装置から情報呈示を受けていると、装置からの情報呈示自体に飽きてしまう可能性もある。第４の実施形態はこのような問題を解決するものである。
【００７９】
第４の実施形態では、ユーザに適したタイミングを解析するために解析部１２が用いる情報として、ユーザのおかれている環境情報のみならず、ユーザが本実施形態の装置以外で飼っているデジタルペット（人工生命体）、言い替えればユーザとは独立した対象物からの環境情報も加える。これにより情報呈示のタイミングを多様化を図ることができる。
【００８０】
また、いつも同じ装置からの情報呈示のみではなく、例えばデジタルペットからの要求に基づく情報呈示など、多様な情報呈示を行うことが可能になり、ユーザを飽きさせることがない。
【００８１】
図９は第４実施形態に係る環境駆動型情報呈示装置の概略構成を示すブロック図である。本実施形態は、上述した第１実施形態に係る図１の概略構成に対し、例えばデジタルペットなどのユーザとは独立した対象物の情報を入力するための外部情報入力部４０と、選択部１３によって選択された呈示情報の呈示方法を選択する呈示方法選択部４１とが追加された構成となっている。なお、第１実施形態と同一の部分には同一の参照符号が付してある。
【００８２】
呈示方法選択部４１は、通常の情報呈示を行う場合は選択部１３によって選択された呈示情報をそのまま呈示するという呈示方法を選択し、外部情報入力部４０からの外部入力情報に基づく情報呈示を行う場合には、当該呈示情報をデジタルペットからの要求として呈示する呈示方法を選択する。
【００８３】
本実施形態は、外部情報入力部４０から入力されたデジタルペットの状態（外部情報）を、環境情報入力部１０と同様に、
（…，ｓ，ｓ，ｓ，ｕ，ｓ，ｓ，ｓ，ｓ，ｓ，ｔ）
といった系列として解析部１２に入力する。ここで、「ｓ」はデジタルペットが通常の状態であることを意味し、「ｔ」は運動不足であることを意味し、「ｕ」はお腹が空いている状態を意味する。
【００８４】
解析部１２は、外部情報入力部４０から入力されたデジタルペットの系列を、環境情報入力部１０から入力された環境情報とは独立して扱う。
解析規則記憶部１１は、外部情報入力部４０から入力された系列を解析するための解析規則を、例えば（ｔ，ｕ）と表し、環境情報に対する解析規則と同様に記憶する。また解析部１２は環境情報を表す系列と環境情報の解析規則とのマッチングと同様の方法によってデジタルペットの状況を解析する。ここでは、外部情報入力部４０から「ｔ」という状態が入力されており、解析規則記憶部１１に記憶された「ｔ」という解析規則とマッチングするため、解析部１２はデジタルペットが運動不足であると判断する。なお、外部情報の入力及び解析は、環境情報の入力及び解析と並行して行なわれる。
【００８５】
選択部１３には「ｔ」という規則と、デジタルペッドが運動不足である場合にユーザに呈示する情報とが、例えば、
（ｃａａａ，ｔ，“○×デパートに出かけてはどうですか？”）
として関連付けられて記憶されている。ここで、解析部１２において「ｃａａａ」か「ｔ」の少なくともどちらか一方の規則がこの関連情報にマッチすると、選択部１３は（状態，呈示情報）との組み合わせ情報、すなわち
（ｔ，“○×デパートに出かけてはどうですか？”）
を選択する。
【００８６】
さらに、呈示方法選択部４１は、選択部１３により選択された（状態、呈示情報）の組み合わせ情報の「状態」の部分を参照することにより、当該組み合わせ情報が環境情報入力部１０からの入力によるものなのか、外部情報入力部４０からの入力によるものなのかを判定するとともに、環境情報入力部１０からの入力による場合は選択部１３によって選択された呈示情報をそのまま呈示するという呈示方法を選択し、外部情報入力部４０からの外部入力情報による場合は、当該呈示情報をデジタルペットからの要求として呈示する呈示方法を選択する。
【００８７】
ここでは、選択部１３によって選択された（状態、呈示情報）組み合わせ情報において状態の部分は「ｔ」であり、これが解析規則記憶部１１に記憶された（ｔ，ｕ）に含まれるため、外部情報入力部４０からの入力によるものと判断され、呈示情報をデジタルペットからの要求としてユーザに呈示する。
【００８８】
なお、呈示方法選択部４１には、例えば、
（“出かけてはどうですか？”，“連れて行ってください！”）
（“があります”，“を見たいです”）
というように、「そのまま呈示する場合の語尾」、「デジタルペットが要求する場合の語尾」といった組のテーブルが記憶されており、これを用いて、選択された呈示方法にしたがって呈示情報の語尾を変形する。この例では、
「○×デパートに出かけてはどうですか？」
という呈示情報を、デジタルペットからの要求として呈示する呈示方法が選択されているので、テーブルを参照して、「出かけてはどうですか？」の部分を「連れて行って下さい！」に置き換えて、
「○×デパートに連れて行って下さい！」
という呈示情報に変形する。
【００８９】
次に呈示部１４は、呈示方法選択部４１によって生成された「○×デパートに連れて行って下さい！」という呈示情報を、デジタルペットの音声によって再生してユーザに呈示すると同時に、デジタルペッドが外に連れて行って欲しい仕草を表現する映像を画面上に表示する。
【００９０】
このように、例えば「○×デパートに行く」ことユーザに促すための情報の呈示を、ユーザを含む環境情報による場合は「○×デパートに出かけてはどうですか？」と呈示し、ユーザ以外のものの環境情報による場合は「○×デパートに連れて行って下さい！」と呈示する、という具合に、多様な方法で行うことができる。したがって、ユーザが同等の情報の呈示であっても新鮮さを感じることを期待できる。
【００９１】
選択部１３によって解析規則が選択されるまでの処理は、第１の実施形態、第２の実施形態、および第３の実施形態と同様である。
図１０に、呈示方法選択部４１が情報の呈示方法を選択し、これにより選択された方法によって情報が呈示されるまで処理の流れをフローチャートによって示す。
【００９２】
図３に示したステップ３０３により、環境情報入力部１０および外部情報入力部４０から入力された情報の系列が解析規則記憶部１１に記憶された規則とマッチする場合、選択部１３は、マッチした規則に合致する呈示情報を選択する（ステップ１００１）。
【００９３】
次に、マッチした規則がデジタルペットの規則かどうかを調べ（ステップ１００２）、デジタルペットの規則でない場合には、呈示方法選択部４１はステップ１００４に進み「そのまま呈示」を選択すると共にステップ１００６に移行する。そして選択部１３によって選択された呈示情報は呈示部１４によってそのまま呈示される。
【００９４】
一方、ステップ１００２において、マッチした規則がデジタルペットの規則である場合、呈示方法選択部４１は「デジタルペットが要求」を選択（ステップ１００３）してステップ１００５に進む。このステップにおいては、デジタルペットからのユーザへの要求として呈示情報を呈示するという呈示方法に則って呈示情報を変形するとともに、デジタルペットが外に連れて行って欲しそうな、そわそわした仕草を表現した映像を生成する。そして呈示部１４によって、ステップ１００５において変形された呈示情報及びデジタルペットの映像とがユーザに呈示される（ステップ１００６）。
【００９５】
［第４実施形態の効果］
本実施形態によれば、ユーザ周囲の環境情報だけでなく、デジタルペットなどのユーザ以外の対象物の状況にも基づいて情報呈示のタイミングが発生されるようになる。このため、ユーザはより多様なタイミングで、かつ多様な方法で情報呈示を受けることになる。したがってユーザは情報呈示に対し新鮮味を感じるようになり、情報呈示に対し飽きを感じることがなくなる。
【００９６】
また、装置からの情報呈示が常に無機的に行なわれるのではなく、例えば、ユーザが愛着を持ったデジタルペットからの要求という形で行われるようになるので、同等の情報の呈示であっても、押し付けがましくない形でユーザの注意を惹くことができる。
【００９７】
［第４実施形態の変形例］
上述した第４実施形態では、デジタルペットに代表される人工生命体など、ユーザ以外のものは装置の外部に存在すると述べたが、これが装置の内部に存在しても良い。
【００９８】
また第４実施形態は、ユーザ周囲の環境情報の系列と、外部情報入力部４０の系列とを、独立して扱うことによって情報を呈示するタイミングの解析を行なうものであったが、例えば、ユーザが暇そうな時にのみデジタルペットが発生する情報呈示のタイミングを有効にする、という具合に両者の状態を相互に参照して情報呈示のタイミングを生成するようにしても良い。
【００９９】
また第４の実施形態においては、呈示方法選択部４１に記憶される呈示方法の選択肢として「そのまま呈示」と「デジタルペットが要求」の２種類を例に挙げて説明したが、かかる選択肢の数は２種類に限定されない。例えば、デジタルペットが外出したい仕草をユーザに対し要求する場合、デジタルペットの映像を表示する代わりにロボットがそわそわしている仕草を表現した映像を表示しても良い。あるいはデジタルペットの音声を怒った口調にするなど、種々の改変、追加を行っても良い。
【０１００】
また、第２の実施形態において述べた送受信を行う解析規則に、その解析規則が選択された場合に情報を呈示する方法を含めても良い。これにより、ユーザに情報を呈示する方法自体が変化するため、さらに飽きの来ない情報呈示を行うことができるようになる。
なお、本発明は上述した第１乃至第４実施形態のみに限定されず種々変形して実施可能である。
【０１０１】
【発明の効果】
以上説明したように、本発明によれば、被情報呈示者にとっては不要な情報から所望の情報を取拾選択するための手間が軽減され、一方、情報呈示者にとってはタイムリーで飽きの来ない、効果的な情報呈示を被情報呈示者に対し行える環境駆動型情報呈示装置を提供できる。
【図面の簡単な説明】
【図１】本発明の第１実施形態に係る環境駆動型情報呈示装置の概略構成を示すブロック図
【図２】上記実施形態に係る関連オブジェクトの生成を示す図
【図３】上記実施形態の概略動作を示すフローチャート
【図４】上記実施形態に係る繰り返し呈示の動作を示すフローチャート
【図５】本発明の第２実施形態に係る環境駆動型情報呈示装置の概略構成を示すブロック図
【図６】上記実施形態に係り、解析規則送信部から送信された情報が解析規則記憶部に格納されるまでの動作の流れを示すフローチャート
【図７】本発明の第３実施形態に係る環境駆動型情報呈示装置の概略構成を示すブロック図
【図８】上記実施形態に係り、選択部によって選択された呈示情報を送信し、供給元である広告主がこの送信情報を受信するまでの処理の流れを示すフローチャート
【図９】本発明の第４実施形態に係る環境駆動型情報呈示装置の概略構成を示すブロック図
【図１０】上記実施形態に係る情報呈示の処理の流れを示すフローチャート
【符号の説明】
１０…環境情報入力部
１１…解析規則記憶部
１２…解析部
１３…選択部
１４…呈示部
２０…解析規則送信部
２１…解析規則受信部
２２…解析規則追加部
３０…呈示結果送信部
３１…呈示結果受信部
４０…外部情報入力部
４１…呈示情報選択部
【図１】
0003655085.tif 000002
【図２】
0003655085.tif 000003
【図３】
0003655085.tif 000004
【図４】
0003655085.tif 000005
【図５】
0003655085.tif 000006
【図６】
0003655085.tif 000007
【図７】
0003655085.tif 000008
【図８】
0003655085.tif 000009
【図９】
0003655085.tif 000010
【図１０】
0003655085.tif 000011